(57)【要約】      （修正有）【課題】透明な管継手において、管継手から発生する騒音防止のために遮音材で被覆しても、管継手の内部を観察可能にした遮音形管継手を提供する。【解決手段】受け口形の接続口を備えた透明合成樹脂製の管継手３の周面全体を、遮音材２で被覆した形式の遮音形管継手に於いて、管継手３の接続口の周囲に位置する遮音材の端部にスリット９を設けるとともに該スリット付近の遮音材を管継手の表面から遊離させ、管継手の表面を観察するための遮音材の遊離部１０を形成した。スリットを接続口の周囲に沿った複数個所に形成し、或いはスリットを２本一組とし、或いはスリットをＬ字型に設け、或いはスリットを遮音材の端部を残したコ字状の打ち抜きとしてもよい。【選択図】図２
0003155401.tif 000002
【実用新案登録請求の範囲】
【請求項１】
受け口形の接続口を備えた透明合成樹脂製の管継手の周面全体を、遮音材で被覆した形式の遮音形管継手に於いて、該管継手の接続口の周囲に位置する遮音材の端部にスリットを設けるとともに該スリット付近の遮音材を管継手の表面から遊離させ、管継手の表面を観察するための遮音材の遊離部を形成したことを特徴とする遮音形管継手。
【請求項２】
上記スリットを上記接続口の周囲に沿った複数個所に形成したことを特徴とする請求項１に記載の遮音形管継手。
【請求項３】
上記スリットを２本一組とし、各スリットの間に矩形の遊離部を形成したことを特徴とする請求項１に記載の遮音形管継手。
【請求項４】
上記スリットを２本一組とし、各スリットは上記接続口端部から遠ざかるにつれ互いの間隔が開くように設けてその間に山形の遊離部を形成したことを特徴とする請求項１に記載の遮音形管継手。
【請求項５】
上記スリットをＬ字型に設け、扉状の遊離部を形成したことを特徴とする請求項１に記載の遮音形管継手。
【請求項６】
上記スリットを遮音材の端部を残したコ字状の打ち抜きにより設け、端部をヒンジとする遊離部を形成したことを特徴とする請求項１に記載の遮音形管継手。
【考案の詳細な説明】
【技術分野】
【０００１】
本考案は、遮音シートなどの遮音材で管継手を被覆した形式の遮音形管継手に関する。
【背景技術】
【０００２】
従来、管継手に対する配管接続の確認のため、管継手を透明な管継手とし、これに接続される配管に着色した接着剤を塗布して接続することが提案されている（特開平６−２４１３７５号公報）。この提案によれば、透明な管継手を透して着色した接着剤の塗布状態が目視により確認できるので、水漏れの原因となる接続不良を排除して良質な配管施工を行え、施工後においては配管詰まりの位置を確認できる利点がある。
【０００３】
また、管継手に遮音シートを捲回したり遮音層を成形することで管継手を被覆し、その内部を流通する流体による騒音が外部への漏洩することを防止することが行われている。こうした管継手の遮音材として、ポリマー発泡体とゴムを重層したシート材などが使用されている（特開平２−１８６１９４号公報）。
【先行技術文献】
【特許文献】
【０００４】
【特許文献１】特開平６−２４１３７５号公報
【特許文献２】特開平２−１８６１９４号公報
【考案の概要】
【考案が解決しようとする課題】
【０００５】
透明な管継手を流通する流体による騒音を防止するために、配管施工後に遮音材を被覆することを要望される場合があるが、このような場合に管継手に遮音材を被覆すると、配管の接着剤塗布状態や排水の流通状態などを外部から観察することができなくなり、排水の漏れや詰まりの検査を行えず、高価な透明の管継手を使用することの意義が失われてしまうという不都合がある。
【０００６】
本考案は、このような不都合を解消し、管継手から発生する騒音防止のために遮音材で被覆しても管継手の内部を観察可能にすることを課題とするものである。
【課題を解決するための手段】
【０００７】
本考案では、上記課題を解決するために、受け口形の接続口を備えた透明合成樹脂製の管継手の周面全体を、遮音材で被覆した形式の遮音形管継手に於いて、該管継手の接続口の周囲に位置する遮音材の端部にスリットを設けるとともに該スリット付近の遮音材を管継手の表面から遊離させ、管継手の表面を観察するための遮音材の遊離部を形成した。スリット付近の遮音材が管継手の周面から遊離しているので、保守点検や補修のために該管継手の内部を観察する必要があるときは、接続口の端部からスリットに沿って指先で遮音材をめくり、管継手の周面を露出させて観察することができる。
【０００８】
該スリットは、管継手の接続口の周囲に沿った複数個所に形成することが好ましく、スリットを２本一組とし、各スリットの間に矩形の遊離部を形成することも可能である。また、スリットを２本一組とするとともに、各スリットを上記接続口端部から遠ざかるにつれ互いの間隔が開くように設けてその間に山形の遊離部を形成することで、遊離部の復元力が大きくなり、スリットをＬ字型に設け、扉状の遊離部を形成したり、スリットを遮音材の端部を残したコ字状の打ち抜きにより設け、端部をヒンジとする遊離部に形成するようにしてもよい。
【考案の効果】
【０００９】
本考案のものでは、管継手の接続口の周囲に位置する遮音材の端部にスリットを設けるとともに該スリット付近の遮音材を管継手の表面から遊離させ、管継手の表面を観察するための遮音材の遊離部を形成したので、保守点検や補修のために該管継手の内部を観察する必要があるときは、接続口の端部からスリットに沿って指先で遮音材をめくり、管継手の周面を露出させて観察することができる。
【００１０】
該スリットは、管継手の接続口の周囲に沿った複数個所に形成することで、接続口周囲の各方向から管継手の周面を観察できる。スリットを２本一組とし、各スリットの間に矩形の遊離部を形成することで遊離部を大きく開けることができ、また、スリットを２本一組とするとともに、各スリットを上記接続口端部から遠ざかるにつれ互いの間隔が開くように設けてその間に山形の遊離部を形成することで、遊離部の復元力を大きくでき、観察後に遊離部が元通りになりやすく、遮音性を維持でき、スリットをＬ字型に設け、扉状の遊離部を形成したり、スリットを遮音材の端部を残したコ字状の打ち抜きにより設け、端部をヒンジとする遊離部に形成するようにしても、観察後に遊離部が復元して遮音性を維持できる効果がある。
【図面の簡単な説明】
【００１１】
【図１】本考案の実施例の側面図
【図２】図１の一部切断平面図
【図３】本考案の第２実施例の側面図
【図４】図３の作動状態の一部切断右側面図
【図５】本考案の第３実施例の側面図
【図６】図５の作動状態の一部切断右側面図
【図７】本考案の第４実施例の一部切断平面図
【図８】図７の側面図
【図９】本考案の第５実施例の側面図
【図１０】図９の作動状態の一部切断右側面図
【図１１】遮音形管継手の使用状態の切断側面図
【図１２】図１の遮音材の展開図
【図１３】既設の管路に適用する状態の側面図
【図１４】図１３の適用状態における要部の斜視図
【考案を実施するための形態】
【００１２】
本考案の実施の形態を図面に基づき説明すると、図１及び図２において、符号１は遮音材２で透明合成樹脂製のＴ字形の管継手３を被覆して構成した遮音形管継手を示す。この遮音形管継手１は、図１１に示したように、受け口形の接続口４を有しており、各接続口４には接着剤５を塗布した配管６が挿入接続されて管路が形成される。
【００１３】
図示の実施例の場合、遮音材２は図１２に示すような枝管用挿通口７と枝管周回片８が一体に成形された展開形状を有する遮音シートで構成した。この遮音シートには、発泡ウレタンチップ製のシートにポリ塩化ビニールシートとポリプロピレンの不織布シートを順次に重層した構成のものを使用したが、ウレタンチップの代わりにゴムやオレフィンを使用したり、ポリ塩化ビニールシートの代わりにグラスウール、ロックウール、ＰＥＴ再生材、或いはフェルトなどを使用することも可能である。該不織布シートは遮音シートの強度を増大し、結露を防止する作用を営む。符号１１は取り付け用の切り込みである。
【００１４】
図１３及び図１４は、図１１に図示した既設の管路中の管継手３に、図１２の形状の遮音材２を取り付ける場合の説明図であり、枝管用挿通口７を枝管の接続口４ａに嵌めたのち遮音材２を管継手３の周囲に端部が多少重合するように巻き付け、その重合部を粘着テープなどで止め、枝管周回片８を枝管の接続口４ａに巻き付けて解けないように粘着テープ（図示してない）などで止めることで取り付けした。これに接続される配管６も遮音材で覆うことにより、管路を流通する流体が発する騒音が減殺される。
【００１５】
図１１において、接続口４に接続される配管６の接着剤５として着色した接着剤を使用した場合、透明の管継手３を透して配管接着状態を観察することができ、また管継手３内の流通状態も観察できる。しかし、遮音材２で管継手３が覆われると、管継手３内の流れを観察することができなくなり、配管６と管継手３の接続状態を点検して漏水の有無を調べることもできず、管継手３を透明合成樹脂で製作したことの意義が失われるという不都合をきたすが、本考案のものでは、受け口形の接続口４の周囲に位置する遮音材２の端部にスリット９を設けるとともに該スリット付近の遮音材２を接着することなく管継手の表面から遊離させ、管継手３の表面を観察するための遮音材２の遊離部１０に形成し、管継手３の内部を観察する必要のあるときは、この遊離部１０を指でめくることでその観察が行えるようにした。
【００１６】
該スリット９は、接続口４の周囲に沿った複数個所に形成すると、観察するために都合の良い位置の遊離部９をめくることができるので点検が容易になり、図３及び図４に示したようにスリット９を２本一組とし、各スリットの間に矩形の遊離部１０を形成すれば、大きくめくることができるので、観察しやすくなる。また、図５及び図６のように内方に向かって広がる２本一組のスリット９を形成して山形の遊離部１０を設けると、接続口４から遠い部分の管継手表面を大きく露出させることができ、しかも復元力の大きい遊離部１０が得られる利点がある。尚、接続口４の奥部まで観察できるようにスリット９を形成すれば、配管６が規定通り接続口４の奥にまで挿入されていることを確認できる。
【００１７】
更に、スリット９の形状をＬ字型とし、扉状の遊離部１０を形成し、或いは図９、図１０に見られるように、スリット９を遮音材２の端部を残したコ字状の打ち抜きにより設け、端部がヒンジとなる遊離部１０を形成しても、上記した本考案の効果を得ることができる。必要な場合、ベルベットファスナー等を用いてスリット９付近の浮き上がりを防止してもよい。
【符号の説明】
【００１８】
１  遮音形管継手、２  遮音材、３  透明合成樹脂製の管継手、４  接続口、９  スリット、１０  遊離部、
【図１】
0003155401.tif 000003
【図２】
0003155401.tif 000004
【図３】
0003155401.tif 000005
【図４】
0003155401.tif 000006
【図５】
0003155401.tif 000007
【図６】
0003155401.tif 000008
【図７】
0003155401.tif 000009
【図８】
0003155401.tif 000010
【図９】
0003155401.tif 000011
【図１０】
0003155401.tif 000012
【図１１】
0003155401.tif 000013
【図１２】
0003155401.tif 000014
【図１３】
0003155401.tif 000015
【図１４】
0003155401.tif 000016